(57)【要約】【課題】            電源接続装置は、電子機器等からの複数のプラグを電源に接続させるためのプラグを受ける刃受け端子（コンセント）を有する。この刃受け端子は、電源接続装置のケースの長手方向に沿って直線状に配される。このため、ケースが長くなり、配置のためのスペースを大としている。【解決手段】        電源接続装置（１）の本体（２）を第１と第２の本体（６，７）に分割し、両本体（６，７）を回動装置（８）を介して回動自在に結合し、第１の本体（６）上に第２の本体（７）を二つ折り可能とさせる。これにより、刃受け端子の向きを左右、上下に分けて配することができる。【選択図】          図１
2005071850.tif 000002
【特許請求の範囲】
【請求項１】
複数個の電源接続部を有する電源接続装置において、前記電源接続装置の本体を可動可能な構造にしたことを特徴とする電源接続装置。
【請求項２】
本体がプラグ付きコードに接続される第１の本体と、回動装置を介して第１の本体に結合される第２の本体とからなり、第１の本体に対して第２の本体を折りたたみ自在としている請求項１記載の電源接続装置。
【請求項３】
電源接続部が第１と第２の本体の正面又は平面部に設けられている請求項２記載の電源接続装置。
【請求項４】
第１と第２の本体が半割り体からなる請求項３記載の電源接続装置。
【請求項５】
回動装置が第１の本体の端部に設けた円弧体と第２の本体に設けた円弧体とを摺接状態に結合した構成を有する請求項１又は４記載の電源接続装置。
【請求項６】
回動装置が対のブロックを有し、両本体の端部の溝部を該ブロックの突部に係合した構成である請求項１又は４記載の電源接続装置。
【発明の詳細な説明】
【技術分野】
【０００１】
本発明は、その本体を折りたたみ式とした電源接続装置に関する。
【背景技術】
【０００２】
電子機器、たとえばＯＡ機器のパソコン、プリンター、モニタテレビ、モデム等の電源プラグ、又は、たとえばステレオ本体、ＣＤプレーヤー、ＡＣアダプター、或いは家庭用電気製品等の電源プラグを、電源に接続するために電源接続装置が用いられる。
【０００３】
一般に、たとえば電子機器に電源を供給するためには電子機器の電源プラグを、建屋に備え付けたコンセントに差し込んでいる。しかし、電子機器等に付属する電源コードはその長さが決まっており、電子機器の設置場所から建屋のコンセントまで、電源コードが届かない場合、いわゆる電源接続部（リセプタクル或いはコンセント）を有した電源接続装置（延長ケーブル）を経由して、各種電子機器に電源の供給を行う。
【０００４】
また、ＯＡ電子機器等に複数の電源供給が必要な場合、複数個の電源接続部を有した電源接続装置を用い、各電子機器の電源プラグを電源接続部に差し込んで電源供給を行っている。
【０００５】
電源接続装置は、一端にプラグを有する延長コードと、プラグの他端に設けられた合成樹脂製のケースと、ケース内に組み込まれた対の刃受け端子からなる複数個の電源接続部とからなる。
【０００６】
【特許文献１】実用新案登録第３０４９７２３号公報
【特許文献２】実用新案登録第３０６２８３０号公報
【特許文献３】特開平１１−２５０９９８号公報
【特許文献４】特開平１１−８０３２号公報
【発明の開示】
【発明が解決しようとする課題】
【０００７】
しかし、このような電源接続部を有する従来の電源接続装置においては、電源接続装置の本体が一体的に形成されているので、電源接続装置の電源接続部が複数個有するものにあっては、電源接続装置の本体の長手方向の寸法も大きくなり、他の電子機器等の設置場所を制限させ、省スペースに向いていないという不具合があった。
【０００８】
それ故に、本発明は前述した従来技術の不具合を解消させることを解決すべき課題とする。
【課題を解決するための手段】
【０００９】
本発明は、前述した課題を解決するために、電源接続装置の本体を折りたたみ自在、即ち可動とさせる基本構造を採用する。
【００１０】
本発明によれば、複数個の電源接続部を有する電源接続装置において、前記電源接続装置の本体を可動可能な構造にしたことを特徴とする電源接続装置が提供される。
【発明の効果】
【００１１】
本発明の電源接続装置によれば、電源接続装置の本体を折りたたんで使用することが可能となるため、本体の長手方向の寸法が短縮され、省スペースで各種電子機器の接続が可能となる。
【発明を実施するための最良の形態】
【００１２】
電源接続装置１は、細長い箱形の本体２と、一端に電源への差し込み用のプラグ３を有するコード４と、該コード４の電線に電気的に接続されかつ本体２内に収納される電源接続部としての対の刃受け端子５とを有す。
本体２は、第１の本体６と、該第１の本体６に回動自在に支持された第２の本体７とよりなる。第１の本体６と第２の本体７とは回動装置８により結合され、図３に示す如く、第２の本体７がコード４の付いた第１の本体６上に折りたたみ可能となる。
【００１３】
本体２は細長い箱形のもので、合成樹脂材で成形される。その側部には複数個の離間した開口部９を有し、刃受け端子体１０がその開口部９を塞ぐように配される。
電源接続部としての刃受け端子体１０は、図４に示す如く、内部に導電性の刃受け端子５を有する合成樹脂材のブロックからなり、このブロックを開口部９の領域に常法に従い係止させ、その端子をコード４の電線に結合させる。
【００１４】
第１と第２の本体６，７の一端にマジックテープ１１，１１を貼着し、折りたたみ形状を保持可能とさせる。
【００１５】
回動装置８は、図５に示すように、上下に分割された第１の本体６の端部にその外表面より内側から内方へ延在する板状の第１の円弧部１２と、上下に半割りされた第２の本体７の端部の中央より延在する第２の円弧部１３とを有し、第２の円弧部１３の内周面が第１の円弧部１２の外周面に抱きかかえるようにして摺接し、両本体６，７の回動を可能にする。尚、コード４に接続される電線は円弧部１２の一部に穿けた孔を介して第２の本体７内にもってくればよい。
【００１６】
図１乃至３に示す例は、第１の本体６の側部に設けた刃受け端子体１０と第２の本体７に配した刃受け端子体１０とはその向きを逆方向とし、折りたたんだとき（図３参照）、両側から電子機器等のプラグの差し込みが可能となる。
【００１７】
図６と図７に第２の実施の形態を示す。図６と図７に示す例は刃受け端子体１０を第１と第２の本体６’，７’の平面部に配し、折りたたんだとき、上面と下面に刃受け端子体１０が外に向く配置となる。
回動装置８’は、対の中空ブロック１４と、半割り体の両本体６’，７’の端部に設けた係止部１５とからなる。
【００１８】
ブロック１４はフランジ付きの円筒状の突部１６，１６を有し、電線が一方の突部１６からブロック１４内に入り他方の突部１６に抜け、一方の本体６’から他方の本体７’に配線される。
突部１６，１６にはフランジにより環状の溝部が形成される。
両本体６’，７’は上下半割り体からなり、その半割り体の端部は図９に示すように向かい合う半円状の溝部１７が形成されている。離間対向するブロック１４，１４の向かい合う突部１６の溝に両本体６’，７’の上下の溝部１７を嵌合させ、半割り体をネジ止めし、ブロック１４に対し、第１と第２の本体６’，７’を回動自在とさせる。
【００１９】
図７に示すように第１の本体６’の下方に第２の本体７’を回動させ、マジックテープ１１で両本体６’，７’を止めると、上下方向に刃受け端子５が開放された形となる。
【図面の簡単な説明】
【００２０】
【図１】本発明の一例の電源接続装置の平面図である。
【図２】図１に示す例の正面図である。
【図３】図１の例の折りたたみ状態を示す正面図である。
【図４】刃受け端子体の平面図である。
【図５】図１の例の回動装置を示す部分断面図である。
【図６】本発明の別の例の平面図である。
【図７】図６の例の折りたたんだ状態を示す正面図である。
【図８】図６の例に用いられる回動装置のブロックの正面図である。
【図９】第１と第２の本体の半割り体のブロックに係合される部分を示す部分斜視図である。
【符号の説明】
【００２１】
１    電源接続装置
２    本体
３    プラグ
４    コード
５    刃受け端子
６，６’，７，７’    本体
８，８’    回動装置
１０    刃受け端子体
１１    マジックテープ
１２，１３    円弧部
１４    中空ブロック
１６    突部
１７    溝部
【図１】
2005071850.tif 000003
【図２】
2005071850.tif 000004
【図３】
2005071850.tif 000005
【図４】
2005071850.tif 000006
【図５】
2005071850.tif 000007
【図６】
2005071850.tif 000008
【図７】
2005071850.tif 000009
【図８】
2005071850.tif 000010
【図９】
2005071850.tif 000011